(57)【特許請求の範囲】
【請求項１】
建物本体の外壁表面に開口する窓およびバルコニー等の複数の開口部を有する建物において、
前記外壁表面に、断面コ字型に形成されるとともに多数の通気孔を有する帯状の通気部材が、前記複数の開口部の前面を通るようにかつ上下に複数隣接して固定されており、
前記通気部材は、前記外壁表面に固定されるブラケットを介して、前記外壁表面に対して所定の間隔をあけて配置されており、
前記複数の開口部の前面を通る通気部材のうち、最上部に位置する通気部材は、前記開口部のうち少なくとも１つに設ける手摺を兼ねていることを特徴とする建物。
【請求項２】
前記通気部材は、下階と上階との中間部付近に、かつ前記建物本体の外壁表面の幅方向両側端部にわたって水平に設けられていることを特徴とする請求項１に記載の建物。
【請求項３】
前記通気部材は、植生基盤を収容可能な収容部を有することを特徴とする請求項１または２に記載の建物。
【請求項４】
前記通気部材は、長手方向に延在する受材凹部を有する通気部材受材と、
この通気部材受材に係合して固定され、長手方向に延在する本体凹部を有する通気部材本体と、を備え、
前記通気部材本体は、本体凹部と受材凹部とを対向させた状態で、前記通気部材受材に係合して固定されており、
前記収容部は、前記受材凹部及び本体凹部によって形成されていることを特徴とする請求項３に記載の建物。
【発明の詳細な説明】
【技術分野】
【０００１】
本発明は、建物本体の外壁表面に開口する複数の開口部を有する建物に関する。
【背景技術】
【０００２】
建物の外壁には、窓やバルコニー等の開口部が設けられる（特許文献１参照）。これらの開口部は、設置位置をまとまりのあるものにすることによって建物外観の意匠性を向上させることができるとともに、屋内への通風を確保して、良好な居住環境を提供することができる。
【特許文献１】特開平５−９８８１４号公報
【発明の開示】
【発明が解決しようとする課題】
【０００３】
しかしながら、建物に開口部を設けると、例えば浴室やトイレ等の水廻りや中間層の配置位置等といった建物の構造上の問題によって、開口部の設置位置にずれが生じ、建物の外観を損ねる恐れがあった。一方、建物に開口部を設けなかったり開口部を閉塞部材等で塞いでしまうと、屋内への通風を確保できないという問題があった。
【０００４】
本発明の課題は、建物本体の外壁表面に開口する複数の開口部を有する建物において、建物の外観意匠性を向上させるとともに、開口部から建物内への通風を確保することである。
【課題を解決するための手段】
【０００５】
以上の課題を解決するため、請求項１に記載の発明は、例えば図６に示すように、建物本体２の外壁（例えば、正面外壁１２ａ、側面外壁１２ｂ）表面に開口する窓およびバルコニー等の複数の開口部（例えば、２階腰窓Ｗ４，Ｗ５、バルコニーＢ１等）を有する建物１において、
前記外壁（例えば、正面外壁１２ａ、側面外壁１２ｂ）表面に、断面コ字型に形成されるとともに多数の通気孔を有する帯状の通気部材（例えば、通気部材１３、緑化通気部材６）が、前記複数の開口部（例えば、２階腰窓Ｗ４，Ｗ５、バルコニーＢ１等）の前面を通るようにかつ上下に複数隣接して固定されており、
前記通気部材（例えば、通気部材１３、緑化通気部材６）は、前記外壁（例えば、正面外壁１２ａ、側面外壁１２ｂ）表面に固定されるブラケット４を介して、前記外壁（例えば、正面外壁１２ａ、側面外壁１２ｂ）表面に対して所定の間隔をあけて配置されており、
前記複数の開口部（例えば、２階腰窓Ｗ４，Ｗ５、バルコニーＢ１等）の前面を通る通気部材（例えば、通気部材１３、緑化通気部材６）のうち、最上部に位置する通気部材（例えば、通気部材１３、緑化通気部材６）は、前記開口部（例えば、２階腰窓Ｗ４，Ｗ５、バルコニーＢ１等）のうち少なくとも１つに設ける手摺を兼ねていることを特徴とする建物。
【０００６】
請求項１に記載の発明によれば、建物本体２に設けられた複数の開口部（例えば、２階腰窓Ｗ４，Ｗ５、バルコニーＢ１等）の前面を通るように帯状の通気部材（例えば、通気部材１３、緑化通気部材６）が水平に固定されているため、通気部材（例えば、通気部材１３、緑化通気部材６）の存在が強調されて複数の開口部（例えば、２階腰窓Ｗ４，Ｗ５、バルコニーＢ１等）に統一感を持たせることができ、建物１の外観意匠性を向上させることができる。また、この通気部材（例えば、通気部材１３、緑化通気部材６）は、多数の通気孔を有するため、開口部（例えば、２階腰窓Ｗ４，Ｗ５、バルコニーＢ１等）から屋内への通風を確保することができる。
また、通気部材（例えば、通気部材１３、緑化通気部材６）は開口部（例えば、２階腰窓Ｗ４，Ｗ５、バルコニーＢ１等）の手摺を兼ねているため、開口部（例えば、２階腰窓Ｗ４，Ｗ５、バルコニーＢ１等）に専用の手摺を設ける必要がなくなり、施工が容易になる。
【０００９】
請求項２に記載の発明は、例えば図６に示すように、請求項１に記載の建物１において、前記通気部材（例えば、通気部材１３、緑化通気部材６）は、下階と上階との中間部付近に、かつ前記建物本体２の外壁（例えば、正面外壁１２ａ、側面外壁１２ｂ）表面の幅方向両側端部にわたって水平に設けられていることを特徴としている。
【００１１】
請求項３に記載の発明は、例えば図４，５に示すように、請求項１または２に記載の建物１において、前記通気部材（例えば、緑化通気部材６）は、植生基盤１０を収容可能な収容部６ａを有することを特徴としている。
【００１２】
請求項３に記載の発明によれば、通気部材（例えば、緑化通気部材６）の収容部６ａに植生基盤１０を収容することによって、この植生基盤１０から通気孔（例えば、受材通気孔７ｄ、本体通気孔８ｄ）を介して植生植物を育成させることができるため、建物本体２の外壁（例えば、正面外壁２ａ）表面を緑化することができる。
【００１３】
請求項４に記載の発明は、例えば図４，５に示すように、請求項３に記載の建物１において、前記通気部材（例えば、緑化通気部材６）は、長手方向に延在する受材凹部７ｃを有する通気部材受材７と、
この通気部材受材７に係合して固定され、長手方向に延在する本体凹部８ｃを有する通気部材本体８と、を備え、
前記通気部材本体８は、本体凹部８ｃと受材凹部７ｃとを対向させた状態で、前記通気部材受材７に係合して固定されており、
前記収容部６ａは、前記受材凹部７ｃ及び本体凹部８ｃによって形成されていることを特徴としている。
【００１４】
請求項４に記載の発明によれば、通気部材本体８を、本体凹部８ｃと受材凹部７ｃとを対向させた状態で、通気部材受材７に係合して固定することによって、受材凹部７ｃ及び本体凹部８ｃによって形成された収容部６ａを有する通気部材（例えば、緑化通気部材６）を容易に形成することができる。
【発明の効果】
【００１５】
本発明によれば、通気部材の存在が強調されて複数の開口部に統一感を持たせることができ、建物の外観意匠性を向上させることができる。また、開口部から屋内への通風を確保することができる。
【発明を実施するための最良の形態】
【００１６】
以下、図を参照して本発明を実施するための最良の形態を詳細に説明する。
図１は、本発明に係る建物１の構成を示すもので、（ａ）が建物本体２の正面図、（ｂ）が建物本体２に通気部材３を固定した建物１の正面図である。
【００１７】
図１に示すように、建物１は、正面外壁２ａに複数の開口部を有する建物本体２と、この建物本体２の正面外壁２ａに固定された通気部材３と、を備えている。建物本体２の正面外壁２ａには、１階に玄関Ｅと１階部腰窓Ｗ１が設けられ、玄関Ｅの上方にバルコニーＢが張り出して設けられ、このバルコニーＢに対応する位置にバルコニー用窓Ｗ３が設けられている。また、１階部腰窓Ｗ１の上方には２階部腰窓Ｗ２が設けられている。
【００１８】
図１，２，４に示すように、通気部材３は、水平に長尺な帯状の部材であり、複数の通気部材３が上下に隣接して建物本体２の正面外壁２ａに固定されている。これらの通気部材３は、１階部腰窓Ｗ１の前面を覆うとともに、２階部腰窓Ｗ２及び玄関Ｅの上端部の前面を覆っている。また、通気部材３は、２階部腰窓Ｗ２及びバルコニー用窓Ｗ３の下部の前面を覆うとともに、２階部腰窓Ｗ２及びバルコニーＢの手摺を兼ねている。これらの２階部腰窓Ｗ２及びバルコニーＢの手摺の上端に対応する位置には、後述する緑化通気部材６が連続して設けられている。
【００１９】
図２，３に示すように、通気部材３は、長手方向に延在する凹部３ｃを有する断面コ字型の形鋼であり、さらに詳しくは、断面視において、平板状の中央部３ａとこの中央部３ａの両端に対向して設けられた一対の取付部３ｂとを備えている。また、通気部材３の中央部３ａには、厚さ方向に貫通するとともに、長手方向と直交する方向に長尺な複数の楕円形の通気孔３ｄが、所定間隔ごとに形成されている。
なお、通気部材３は、樹脂から成型してもよい。
【００２０】
通気部材３は、断面視において平板状の固定部４ａとこの固定部４ａの略中央に立設された立設部４ｂとを備える断面Ｔ字型のブラケット４を介して、正面外壁２ａに固定されている。さらに詳しくは、通気部材３の取付部３ｂの外側にブラケット４の立設部４ｂが当接した状態で、ビス５ａ及びボルトによってブラケット４が通気部材３に取り付けられ、このブラケット４の固定部４ａがビス５ｂによって正面外壁２ａに取り付けられている。また、通気部材３同士は上下に隣接している、すなわち、隣り合う通気部材３は、それらの取付部３ｂでブラケット４の立設部４ｂを挟んだ状態で、ボルト５ｃ及びナットによって固定されている。
【００２１】
図１，４，５に示すように、２階部腰窓Ｗ２及びバルコニーＢの手摺の上端に対応する位置に設けられた緑化通気部材６は、通気部材３と同様に、水平に長尺な帯状の部材であり、通気部材受材７と、通気部材本体８と、植生基盤１０と、を備えている。
【００２２】
図４，５に示すように、通気部材本体８は、通気部材３と同様のものであり、本体中央部８ａと一対の本体取付部８ｂとによって形成され、かつ長手方向に延在する本体凹部８ｃを備えている。また、本体中央部８ａには、多数の本体通気孔８ｄが形成されている。
【００２３】
通気部材受材７は、長手方向に延在する受材凹部７ｃを有する断面コ字型の形鋼であり、さらに詳しくは、断面視において、平板状の受材中央部７ａとこの受材中央部７ａの両端に対向して設けられた一対の受材取付部７ｂとを備えている。また、通気部材受材７の受材中央部７ａには、厚さ方向に貫通するとともに、長手方向と直交する方向に長尺な複数の楕円形の受材通気孔７ｄが、所定間隔ごとに形成されている。
なお、通気部材受材７及び通気部材本体８は、樹脂から成型してもよい。
【００２４】
通気部材本体８は、本体凹部８ｃと受材凹部７ｃとを対向させた状態で、通気部材受材７に係合して固定されている。さらに詳しくは、通気部材受材７の受材凹部７ｃに、通気部材本体８の一対の本体取付部８ｂが挿入され、これらの本体取付部８ｂの外側面と通気部材受材７の受材取付部７ｂの内側面がそれぞれ当接した状態で、ボルト５ｄ及びナットによって固定されている。
【００２５】
図１，４，５に示すように、緑化通気部材６の内部には、受材凹部７ｃ及び本体凹部８ｃによって形成された収容部６ａが形成されており、２階部腰窓Ｗ２及びバルコニー用窓Ｗ３に対応する位置の収容部６ａ内に、植生植物Ｇを育成可能な植生基盤１０が充填された袋状部材が収容されている。
ここで、植生基盤１０とは、例えば土壌、肥料、及び保水材等を混合したもので、これらをバインダー等で固化したものでもよい。また、袋状部材とは、例えば吸水性を有する不織布等であり、植生植物Ｇの育成に応じて切込みが設けられている。
【００２６】
植生植物Ｇは、植生基盤１０から発芽すると、袋状部材に設けられた切込みと、通気部材受材７に設けられた受材通気孔７ｄ及び通気部材本体８に設けられた本体通気孔８ｄとを介して緑化通気部材６から露出する。
なお、緑化通気部材６から建物本体２側へ植生植物Ｇを露出させないために、植生基盤１０の位置に対応する受材通気孔７ｄを板部材等で塞いでもよい。また、緑化通気部材６は、植生植物Ｇが発芽する前の状態のものを正面外壁２ａに取り付けてもよく、育成した段階のものを正面外壁２ａに取り付けてもよい。
【００２７】
緑化通気部材６は、通気部材受材７の受材中央部７ａの外側を正面外壁２ａに当接させた状態で、ビス５ｅによって該正面外壁２ａに固定される。また、緑化通気部材６と通気部材３とは、受材取付部７ｂと取付部３ｂとで断面Ｌ字型のブラケット４ｃを挟んだ状態で、ボルト５ｆ及びナットによって固定される。
【００２８】
以上の実施形態によれば、建物本体２に設けられた玄関Ｅ、１階部腰窓Ｗ１、２階部腰窓Ｗ２、及びバルコニー用窓Ｗ３の前面を通るように帯状の通気部材３が水平に固定されているため、通気部材３の存在が強調されて複数の開口部に統一感を持たせることができ、建物１の外観意匠性を向上させることができる。また、この通気部材３は、多数の通気孔３ｄを有するため、玄関Ｅ、１階部腰窓Ｗ１、２階部腰窓Ｗ２、及びバルコニー用窓Ｗ３から屋内への通風を確保することができる。
【００２９】
また、通気部材３は１階部腰窓Ｗ１の前面を覆っているため、１階部腰窓Ｗ１から屋内への通風を確保することができるとともに、視線を遮り、強い光を和らげることができる。
【００３０】
さらに、緑化通気部材６は２階開口部Ｗ２及びバルコニー用窓Ｗ３の手摺を兼ねているため、２階開口部Ｗ２及びバルコニー用窓Ｗ３に専用の手摺を設ける必要がなくなり、施工が容易になる。
【００３１】
また、緑化通気部材６の収容部６ａに植生基盤１０を収容することによって、この植生基盤１０から受材通気孔７ｄ及び本体通気孔８ｄを介して植生植物Ｇを育成させることができるため、建物本体２の正面外壁２ａを緑化することができる。
【００３２】
さらに、通気部材本体８を、本体凹部８ｃと受材凹部７ｃとを対向させた状態で、通気部材受材７に係合して固定することによって、受材凹部７ｃ及び本体凹部８ｃによって形成された収容部６ａを有する緑化通気部材６を容易に形成することができる。
【００３３】
また、通気部材３は、玄関Ｅ及び２階部腰窓Ｗ２の上端部の前面を覆っているため、玄関Ｅ及び２階部腰窓Ｗ２から屋内への強い光を和らげることができる。
【００３４】
なお、本実施例においては、通気孔３ｄ、受材通気孔７ｄ、及び本体通気孔８ｄの形状を鉛直方向に長尺な楕円形としたが、これに限られるものではなく、円形や長方形であってもよい。植生基盤１０を充填した袋状部材は、２階部腰窓Ｗ２及びバルコニー用窓Ｗ３の手摺に対応する位置にのみ設置したが、緑化通気部材６の収容部６ａ全体に収容してもよい。
【００３５】
図６，７に示すように、通気部材１３は、建物本体１２，２２の正面外壁１２ａ，２２ａのみでなく、側面外壁１２ｂ，２２ｂにも設けても良い。
また、図６に示すように、通気部材１３を１階と２階との中間部付近のみに設けても良い。この場合、最上部に位置した通気部材１３は２階腰窓Ｗ４，Ｗ５及びバルコニーＢ１の手摺になるとともに、建物本体１２の正面壁面１２ａ及び側面壁面１２ｂに通気部材１３による帯が設けられ、建物１１の外壁に統一感を持たせることによって建物１１の外観意匠性を向上させることができる。
さらに、図７に示すように、三方向を建物本体２２によって囲まれた小庭Ｔ等を有する建物２１の場合は、この小庭Ｔの前面を通気部材２３で覆っても良い。これにより、小庭Ｔへの通風を確保し、小庭Ｔへの視線を遮るとともに強い光を和らげることができる。
また、例えば、この建物２１に設けられる複数の窓Ｗ６〜Ｗ１０のうち、１階腰窓Ｗ６および２階腰窓Ｗ７を掃き出し窓とし、これら１階腰窓Ｗ６および２階腰窓Ｗ７の前面を通気部材２３で覆っても良い。
これにより、建物本体２２の室内のチリやホコリ等の掃き出しが容易となるだけでなく、１階腰窓Ｗ６および２階腰窓Ｗ７への通風を確保し、１階腰窓Ｗ６および２階腰窓Ｗ７への視線を遮るとともに強い光を和らげることができる。また、特に、２階腰窓Ｗ７が掃き出し窓であっても、前面が通気部材２３によって覆われているので、所定の大きさ以上の物の落下や、居住者の転落等を確実に防ぐことができる。
【図面の簡単な説明】
【００３６】
【図１】本発明に係る建物の構成を示すもので、（ａ）は建物本体の正面図、（ｂ）は通気部材を取り付けた状態の建物の正面図である。
【図２】通気部材の構成を示す斜視図である。
【図３】外壁への通気部材の取付構造を示す断面図である。
【図４】緑化通気部材の構成を示す斜視図である。
【図５】外壁への緑化通気部材の取付構造を示す断面図である。
【図６】本発明に係る建物のその他の実施形態における構成を示すもので、（ａ）は建物本体の概略斜視図、（ｂ）は建物本体の１階と２階との中間部付近のみに通気部材を設けた建物の概略斜視図である。
【図７】本発明に係る建物のその他の実施形態における構成を示すもので、（ａ）は建物本体の概略斜視図、（ｂ）は小庭の前面に通気部材を設けた建物の概略斜視図である。
【符号の説明】
【００３７】
Ｂ  バルコニー
Ｅ  玄関
Ｇ  植生植物
Ｔ  小庭
Ｗ１  １階部腰窓
Ｗ２  ２階部腰窓
Ｗ３  バルコニー用窓
１，１１，２１  建物
２，１２，２２  建物本体
２ａ，１２ａ，２２ａ  正面外壁
１２ｂ，２２ｂ  側面外壁
３，１３，２３  通気部材
３ａ  中央部
３ｂ  取付部
３ｃ  凹部
３ｄ  通気孔
４  ブラケット
４ａ  固定部
４ｂ  立設部
４ｃ  ブラケット
５ａ，５ｃ，５ｄ，５ｆ  ボルト
５ｂ，５ｅ  ビス
６  緑化通気部材
６ａ  収容部
７  通気部材受材
７ａ  受材中央部
７ｂ  受材取付部
７ｃ  受材凹部
７ｄ  受材通気孔
８  通気部材本体
８ａ  本体中央部
８ｂ  本体取付部
８ｃ  本体凹部
８ｄ  本体通気孔
１０  植生基盤
【図１】
0004589881.tif 000002
【図２】
0004589881.tif 000003
【図３】
0004589881.tif 000004
【図４】
0004589881.tif 000005
【図５】
0004589881.tif 000006
【図６】
0004589881.tif 000007
【図７】
0004589881.tif 000008